(57)【要約】      （修正有）【課題】遠隔操作の他の操作スイッチとは異なる円状のチャンネル及びボリューム選択スイッチを有するテレビ、ビデオ録画機／再生機用の遠隔操作機を提供する。【解決手段】上側及び下側シェル１２及び１３を有するハウジング１１と、ハウジング１１内に配置され電子部品が搭載されたプリント回路基板とを備える。上側シェル１２には、異なるサイズの押しボタン１５を収容するようになっている複数の異なるスロット１４が設けられている。円状のチャンネル調整操作部１９及びボリューム調整操作部１９ａは、上側シェル１２におけるスロット２０それぞれを横切っている。円状チャンネル調整操作部１９及びボリューム調整操作部１９ａの各々は、ハウジング１１に対して回動自在に固定されている。各々には、外周面から外側に突出して互いに対向しておりプリント回路基板に導通するための前側ラグ及び後側ラグが設けられている。【選択図】図１
0003192777.tif 000002
【実用新案登録請求の範囲】
【請求項１】
上側及び下側シェルを有し、前記上側シェルには、異なるサイズの押しボタンを収納可能な複数の異なるスロットが設けられている、ハウジングと、
前記ハウジング内に配置された電子部品が搭載された電子回路基板と、を備え、
少なくとも１つの円状のチャンネル調整操作部及びボリューム調整操作部が前記上側シェルにおけるスロットをそれぞれ横切っており、前記円状チャンネル調整操作部及びボリューム調整操作部の各々が前記ハウジングに回動自在に固定されており、及び各々には外周面から外側に突出して互いに対向しておりかつ前記プリント回路基板に連通するための前側ラグ及び後側ラグが設けられていることを特徴とする、
テレビ、ビデオ録画機／再生機用遠隔操作機。
【請求項２】
前記円状チャンネル調整操作部及びボリューム調整操作部の各々には、外周面に配置された複数の横走隆起が設けられている、請求項１に記載のテレビ、ビデオ録画機／再生機用遠隔操作機。
【請求項３】
前記円状のチャンネル調整操作部及びボリューム調整操作部は、ゴム状の材料からなる、請求項１に記載のテレビ、ビデオ録画機／再生機用遠隔操作機。 
【考案の詳細な説明】
【技術分野】
【０００１】
本実用新案は、一般に、テレビ、ビデオ録画機／再生機などの電子機器の操作に用いられる遠隔操作装置に関し、特に、テレビ又はビデオ録画機／再生機のチャンネルを変更する又はボリュームを増減するための回転式選択スイッチを有する遠隔操作機に関する。
【背景技術】
【０００２】
テレビ用の遠隔操作ユニットは、テレビ及びビデオ録画／再生機の全ての操作などを操作するのに用いられる。このユニットは、全国的に使用可能であり、かつ、現在市場に出回っているテレビの大半のためにプログラム可能に製造されている。操作は、赤外線信号を制御ユニットからテレビ、ビデオ録画機／再生機などに設けられた赤外線受信機に送信することで行われる。遠隔操作は、チャンネル、ボリューム操作、オン／オフ制御及び今日異なるテレビに備えられている多くの機能を変更するのに用いられる。これらの遠隔操作ユニットには、通常、テレビ、ビデオ録画機／再生機などのチャンネルを変更する又はボリュームを調整するための押しボタン選択スイッチが設けられている。多くの場合、特に暗い箇所では、テレビの利用者又は視聴者はチャンネルを変更すること又はボリュームを増減することが、チャンネル操作スイッチが統一されたサイズであること、シリコーンボタンの形態のボリューム操作スイッチ及び他のスイッチに起因して、困難であったであろう。ユーザは間違ったボタンを押す傾向にあり、したがって、ユーザがチャンネルを変更しようとするきに、チャンネル選択ボタンの代わりに、ボリューム操作スイッチ又は他のスイッチを押してしまうことがよくある。
【考案の概要】
【考案が解決しようとする課題】
【０００３】
したがって、本実用新案の主な目的は、遠隔操作の他の操作スイッチとは異なる円状のチャンネル及びボリューム選択スイッチを有する、テレビ、ビデオ録画機／再生機用の遠隔操作機を提供することである。
本実用新案の他の目的は、テレビ、ビデオ録画機／再生機のチャンネルを変更する又はボリュームを調整するときに、ユーザが正しいスイッチボタンを容易に決定できるようになるテレビ、ビデオ録画機／再生機用の遠隔操作機を提供することにある。
本実用新案のさらに他の目的は、単純かつ通常の装置を用いて製造が容易なテレビ、ビデオ録画機／再生機用の遠隔操作機を提供することにある。
【課題を解決するための手段】
【０００４】
本実用新案は、上側及び下側シェルを有するハウジングと、ハウジング内に配置され電子部品が搭載された電子回路基板とを備えたテレビ、ビデオ録画機／再生機用遠隔操作機に関する。上側シェルには、異なるサイズの押しボタンを収容するようになっている複数の異なるスロットが設けられている。円状のチャンネル調整操作部及びボリューム調整操作部は、上側シェルにおけるスロットそれぞれを横切っている。円状チャンネル調整操作部及びボリューム調整操作部の各々は、ハウジングに対して回動自在に固定されている。各々には、外周面から外側に突出して互いに対向しておりプリント回路基板に導通するための前側ラグ及び後側ラグが設けられている。
これら及び他の目的、及び有利な点は、添付の図面と共に詳細な説明を読むことによって提示されかつ理解されるであろう。
【図面の簡単な説明】
【０００５】
【図１】本実用新案に係るテレビ、ビデオ録画機／再生機用遠隔操作機の斜視図。
【図２】図１の線２−２で切った場合の部分断面図。
【考案を実施するための形態】
【０００６】
図面のいくつかの図を参照することで、全体にわたって、同じような参照数字が同じ部分を示している。図示されているのは、テレビ、ビデオ録画機／再生機用遠隔操作機などに関する実用新案であり、全般的には参照数字１０によって示されている。
【０００７】
前述の遠隔操作機１０は、一対の上側及び下側シェル１２及び１３によって構成されている長く延び概ねフラットなハウジング１１によって構成されている。上側シェル１２には、異なるサイズの押しボタン１５を収容するための複数の異なる種類のスロット１４が設けられている。押しボタン１５は、チャンネルを変更すること及び異なる種類の番組活動を設定するためのものであり、例えば、オン／オフボタン、無音ボタン又はメニューオプションに入るためのボタンである。
【０００８】
典型的な遠隔操作機の内部には、プリント回路基板（図示せず）が設けられる。この回路基板は、表面にエッチングによって形成された薄い銅ワイヤを有するガラス繊維からなる薄い一片である。チップ、トランジスタといった電子部品は、プリント回路基板上に組み付けられ、さらに銅ワイヤに接続される。
【０００９】
異なる押しボタン１５は薄いゴム状材料１６からなり、各々には底において黒い導電性ディスク１７が設けられている。黒い導電性ディスク１７は、プリント回路基板の上に設けられた接触部材１８から隙間を空けて配置されており、それにより押しボタン１５が下方に押されたときに黒い導電性ディスク１７が接触部材１８に接触し、特定のボタンの係合を検出するためのチップに接続される。このステップは、当該ボタンに特有のモールス符号線信号を発生するであろう。
【００１０】
次に、トランジスタが信号を増幅し、増幅された信号を通常はハウジング１１の一端に位置する光発光ダイオード（ＬＥＤ）３（図示せず）に送信する。光発光ダイオード３は、信号を赤外線光に変換し、赤外線光はテレビ／ビデオ録画機又は再生機のセンサによって受信される。
【００１１】
図から最もよく分かるように、本実用新案の新規な特徴は、ゴム製であり、一対の個別の円状のチャンネル及びボリューム調整操作部１９及び１９ａを設けることであり、各々が前記ハウジング１１上の一対の互いに離れた長方形状スロット２０及び２０ａを横切って配置されており、それぞれが前記ハウジング１１に固定された長く延びるシャフト２１を中心として回動可能となるようにシャフト２１に接続されていることである。
【００１２】
前記チャンネル及びボリューム調整操作部の各１９及び１９ａは、外周面に沿って延びる複数の横走隆起２２を有する円状のゴム部材によって形成されている。一対の互いに対向する前側ラグ２３及び後側ラグ２４には、各々、プリント回路基板の接触部材１８及び１８ａに導通するための導電性のディスク１５が設けられている。円状のチャンネル及びボリューム調整操作部１９及び１９ａを押すことによって、前側ラグ２３が前側接触部材１８を押して、テレビ又はビデオ録画機／再生機などの現在の１つのチャンネルを上側のチャンネルに変更し又はボリュームを増減する。チャンネル及びボリューム調整操作部１９及び１９ａを引っ込めることで、後側ラグ２４が後側接触部材１８ａを押して、テレビの番組を下側のチャンネルに調整し又はボリュームを低減する。
【００１３】
本発明は上記のように具体的に示されているが、当業者によれば、添付された特許請求の範囲に含まれる本発明の範囲及び精神から離れることなく、形態及び詳細が様々に変化することが可能であることは理解されるであろう。例えば、前記円状のゴム部材は、遠隔コントローラの全てのボタンに用いられるように適合されることもできる。 
【図１】
0003192777.tif 000003
【図２】
0003192777.tif 000004
【手続補正書】
【提出日】平成26年6月26日(2014.6.26)
【手続補正１】
【補正対象書類名】実用新案登録請求の範囲
【補正対象項目名】請求項１
【補正方法】変更
【補正の内容】
【請求項１】
上側及び下側シェルを有し、前記上側シェルには、異なるサイズの押しボタンを収納可能な複数の異なるスロットが設けられている、ハウジングと、
前記ハウジング内に配置された電子部品が搭載されたプリント回路基板と、を備え、
少なくとも１つの円状のチャンネル調整操作部及びボリューム調整操作部が前記上側シェルにおけるスロットをそれぞれ横切っており、前記円状チャンネル調整操作部及びボリューム調整操作部の各々が前記ハウジングに回動自在に固定されており、及び各々には外周面から外側に突出して互いに対向しておりかつ前記プリント回路基板に連通するための前側ラグ及び後側ラグが設けられていることを特徴とする、
テレビ、ビデオ録画機／再生機用遠隔操作機。